(57)【要約】      （修正有）【課題】多数の浮体同士を接着させることにより、固定的で安定した水上フロート及びその敷設方法を提供する。【解決手段】水上フロート１の敷設方法である。この方法は、（ａ）表面に無数の細毛２１又は凹凸を有する浮体２を多数用意する工程、（ｂ）前記多数の浮体２の表面細毛２１又は凹凸に対して接着剤３を十分に吸着させる工程、（ｃ）前記接着剤３を吸着させた多数の浮体２を水面に投入する工程、（ｄ）前記浮体２から水面に対して接着剤３を拡散させて、水面に膜３１を形成させる工程、（ｅ）前記接着剤３により、浮体同士を直接又は前記膜３１を介して連結させる工程、を有する。【選択図】図２
2015093558.tif 000002
【特許請求の範囲】
【請求項１】
水上フロート（１，１Ａ，１Ｂ，１Ｃ）の敷設方法であって、この方法は、
（ａ）表面に無数の細毛（２１）又は凹凸を有する浮体（２）を多数用意する工程、
（ｂ）前記多数の浮体（２）の表面細毛（２１）又は凹凸に対して接着剤（３）を十分に吸着させる工程、
（ｃ）前記接着剤（３）を吸着させた多数の浮体（２）を水面に投入する工程、
（ｄ）前記浮体（２）から水面に対して接着剤（３）を拡散させて、水面に膜（３１）を形成させる工程、
（ｅ）前記接着剤（３）により、浮体同士を直接又は前記膜（３１）を介して連結させる工程、
を有することを特徴とする水上フロート敷設方法。
【請求項２】
前記浮体（２）が直径３〜３０ｃｍの球体である請求項１記載の方法。
【請求項３】
前記球体が硬式テニスボールである請求項２記載の方法。
【請求項４】
前記接着剤（３）が、クロロプレン系合成ゴム溶液である請求項１〜３のいずれかに記載の方法。
【請求項５】
前記水上フロート（１）の上にさらに耐候性塗料（６）を適用する請求項１〜４のいずれかに記載の方法。
【請求項６】
前記水上フロート（１）の上にさらに上床（７）を設置する請求項１〜４のいずれかに記載の方法。
【請求項７】
前記浮体（２）を複数層に積層する請求項１〜４のいずれかに記載の方法。
【請求項８】
請求項１〜６のいずれかの方法により得られる水上フロート（１，１Ａ，１Ｂ，１Ｃ）。
【発明の詳細な説明】
【技術分野】
【０００１】
本発明は、多数の浮体を使用して製作する水上フロート及びその敷設方法に関する。この水上フロートは、主として池やプールなどの静止的な場所において、例えば次のような用途に使用することができる。
【０００２】
（１）水面カバー又は緩衝材として、水中設備の保護、ごみの不法投棄防止、などを図る。
（２）水面と大気の遮断材として、水中汚染物質の大気への拡散防止、空中汚染物質の水中への侵入防止、悪臭の拡散防止、蚊の発生防止、などを図る。
【背景技術】
【０００３】
同様の目的にも使用可能と思われる特開２００２―２２５７８５によれば、半球体の発泡プラスチックを多数水上に敷き詰めると共に、その円形の面を可撓性シートに熱又は接着剤等で貼り付けて水上フロートとしている。「このとき、発泡プラスチック同士は接しているが、互いに接着はしない」（［０００５］）と記載されている。多数の発泡プラスチックをひとまとめにしているのは可撓性シートである。
【先行技術文献】
【特許文献】
【０００４】
【特許文献１】特開２００２―２２５７８５公報
【発明の概要】
【発明が解決しようとする課題】
【０００５】
上記特開２００２―２２５７８５の実際の製品を実際に見て確かめたわけではないが、発泡プラスチック同士が互いに接着されていないのであるから、おそらく全体は安定していないものと思われる。実際、図１１に関連して「海面の波の浮き沈みに合わせてフレキシブルに面をうねらせる」と書かれている。
【０００６】
本発明では、多数の浮体同士を直接または間接的に接着させることにより、より固定的で安定した水上フロート及びその敷設方法を提供することを目的とする。
【課題を解決するための手段】
【０００７】
本発明の水上フロート敷設方法は、（ａ）表面に無数の細毛又は凹凸を有する浮体を多数用意する工程、（ｂ）前記多数の浮体の表面細毛又は凹凸に対して接着剤を十分に吸着させる工程、（ｃ）前記接着剤を吸着させた多数の浮体を水面に投入する工程、（ｄ）前記浮体から水面に対して自然に接着剤を拡散させて、水面に膜を形成させる工程、（ｅ）前記接着剤により、浮体同士を直接又は前記膜を介して連結させる工程、を有することを特徴とする（請求項１）。
【０００８】
本発明の水上フロートは、表面に無数の細毛又は凹凸を有すると共に、これらの表面細毛又は凹凸に対して接着剤を十分に吸着させた多数の浮体と、前記浮体から水面に対して拡散された前記接着剤により形成される膜とを有することを特徴とする。
【発明の効果】
【０００９】
本発明の施工方法によれば、接着剤を十分に吸着させた浮体を多数水面に投入するだけで、水上フロートが容易に得られる。本発明で使用する浮体は比較的に小さいので運搬に便利であり、表面に無数の細毛又は凹凸を有するので、接着剤を吸着させるのも容易である。
【００１０】
本発明の施工方法によって製造された水上フロートは、固定的で安定しており、冒頭に記載の使用目的に十分沿うものである。
【００１１】
以下、添付の図面に基づき、本発明の実施例を説明する。
【図面の簡単な説明】
【００１２】
【図１】容器の中で実験的に制作した本発明第１実施例に係る水上フロートの模型斜視図である。
【図２】図１の一部拡大斜視図である。
【図３】本発明による水上フロートの作成原理の説明図である。
【図４】図３の方法により得られる水上フロートの断面図である。
【図５】図３の方法により得られる水上フロートの上にさらにコーティングを施した、第２実施例に係る補強水上フロートの断面図である。
【図６】図３の方法により得られる水上フロートに上床を設定した、第３実施例に係る水上フロートの断面図である。
【図７】図３の方法を複数層に適用した、第４実施例に係る多層水上フロートの断面図である。
【発明を実施するための形態】
【００１３】
図１のような水上フロート１が本発明の方法を実施することにより得られる。このフロート１は、図２の拡大図に示すように、接着剤３により、浮体２同士が直接又は接着剤３が拡散して硬化した水面膜３１を介して、連結されている。図１のフロート１は、縦横数十ｃｍの容器５の中で実験的に作成したものであるが、水泳プールや池などで実施するときには、浮体２を数万個も使用する巨大な規模のものとなることがある。この水上フロート１を製作するには、次の各工程による。
【００１４】
まず、表面に無数の細毛２１又は凹凸を有する浮体２を多数用意する。浮かせる浮体２としては、浮力を有する球体が好ましい（請求項２）が、その他、立方体や多面体、円柱、多角柱などでもよい。大きさは、使用目的にもよるが、最大径約３〜３０ｃｍが好ましい。形状が異なるものや大きさに大小のあるものを併用することもできる。現時点において、そのような浮体２として、市販品が容易かつ大量に入手可能である硬式テニスボール（直径約６．７ｃｍ）が好ましいことが判明している（請求項３）。
【００１５】
続いて、この多数の浮体２の表面細毛２１又は凹凸に対して接着剤３を十分に吸着させる（図３（ａ））。具体的には接着剤３溶液の中に浮体２を入れて撹拌する。接着剤３としては、クロロプレン系合成ゴムの主剤とし、硬化剤と共に使用することが好ましい（請求項４）。
【００１６】
続いて、接着剤３を吸着させた多数の浮体２を水面４に投入する（図３（ｂ））。浮体２の投入は、フロート１の使用目的に応じて、プールや池などの全表面積に対して行われることもあれば、その一部に対して行われることもある。浮体２は水上を転がったり、相互にぶつかったりして接着剤３を水面４に拡散させる（図２参照）。投入から数時間後には、薄膜３１が硬化し、浮体同士を連結する。
【００１７】
最終的に、図１のような状態になる。この図では浮体２が規則正しく整然と並んでいるが、浮かべる浮体２の数や浮体２がプールなどの壁面に接しているかどうかなどの条件により、実際はもっと雑然としている。浮体２同士の間隔も０から数ｃｍあるのが普通である。浮体２同士が直接接触している場合、相互に強固に接着される。
【００１８】
以上の工程により、図１及び図４に示すような水上フロート１が完成するが、必要に応じて、さらに次のような工程を付加させることができる。
【００１９】
（ｉ）水上フロート１を補強するために、図５に示すように、水上フロート１の上に耐候性塗料６を塗布又は吹付により適用する（請求項５）。そのような耐候性塗料６として、例えばウレタン樹脂系塗料を使用することができる。
【００２０】
（ii）水上フロート１の上に作業員が乗ったり、基材を載せたりするときは、図６に示すように、上床７を載置して表面を平らにすることができる（請求項６）。上床７としては床材やマットなどを使用することができる。
【００２１】
（iii）上から重量物が落下する危険があるような現場では、緩衝効果を高めるために、図７に示すように、浮体２を複数層に積層することができる（請求項７）。
【００２２】
（iv）水上フロート１を川や海などの流動的な場所に設置するときには、いったん静止的な場所で水上フロートを作成したのちに現場まで曳航する。その際、水上フロート１と川底の間をロープでつないだり、水上フロート１から錨をおろしたりして積極的に位置の固定を図ることができる。
【００２３】
（v）水上フロートを完成させた後、部分的に開放したいときには、水面膜３１をカッターで切り抜くことができる。
【実施例１】
【００２４】
多数の硬式テニスボール２と接着剤３を用意した。硬式テニスボール２は市販のものである。接着剤３は、下記成分（１）を有するクロロプレン系合成ゴムの主剤１００に対し、下記成分（２）を有する硬化剤２〜１０の割合で調合撹拌して調製した。
（１）主剤（重量％）
変性クロロプレンゴムコンパウンド          ２０±２
トルエン                                  ５０〜６０
キシレン                                  ５〜１５
エチルベンゼン                            ５〜１５
メチルエチルケトン                        １〜１０
シクロヘキサン                            １〜１０
シリカ（非晶性）                          ０．１〜１０
カーボンブラック                          ０．１〜１０
（２）硬化剤（重量％）
トリス（フェニルイソシアネート）チオフォスフェート  
約２７
酢酸エチル                                約７１
【００２５】
図３に示すように、硬式テニスボール２をこの接着剤３溶液に投入して撹拌し、ボール表面の細毛２１に接着剤３を吸着させた。この硬式テニスボール２を多数水面上に投入した。ボール２は水上を転がったり、相互にぶつかったりして接着剤３を水面４に拡散させた。
【００２６】
ボール２表面から拡散した接着剤３は、図４に示すように、薄膜３１を形成した。3時間ほど経過した時点で確認したところ、薄膜３１は、主剤と硬化剤が反応し、硬化が確認された。その時の薄膜３１の厚みは、０．０２〜０．０３ｍｍであった。ボール２同士が直接接触した部分については、相互に強固に接着していた。
【００２７】
このようにして、多数のボール２及び薄膜３１により水面上で水上フロート１が完成した。
【実施例２】
【００２８】
図５に示すように、実施例１で作成した水上フロート１の上に耐候性塗料６の主剤と硬化剤を塗装機にセットし吹付けを行い、表面補強された水上フロート１Ａを得た。使用した塗料はウレタン樹脂系塗料「Ｂ３０００」（極東ゴム株式会社）である。吹付は、通常の塗装作業と同等の作業性で施工できた。
【実施例３】
【００２９】
図６に示すように、実施例１で作成した水上フロート１の上に上床７を設置し、表面が平らな水上フロート１Ｂを得た。
【実施例４】
【００３０】
図７に示すように、実施例１の要領でボール２を４層積層し、強固な水上フロート１Ｃとした。
【符号の説明】
【００３１】
１     水上フロート
１Ａ   水上フロート
１Ｂ   水上フロート
１Ｃ   水上フロート
２     硬式テニスボール（浮体）
２１   表面細毛
３     接着剤
３１   薄膜
４     水面
５     容器
６     耐候性塗料
７     上床
【図１】
2015093558.tif 000003
【図２】
2015093558.tif 000004
【図３】
2015093558.tif 000005
【図４】
2015093558.tif 000006
【図５】
2015093558.tif 000007
【図６】
2015093558.tif 000008
【図７】
2015093558.tif 000009